(57)【要約】      （修正有）【課題】光部材が相手コネクタと安定して接続可能なＵＳＢコネクタを提供する。【解決手段】本コネクタは、絶縁性本体１と、該絶縁性本体に固着される複数の導電端子２と、前記絶縁性本体に前後方向において移動可能な光部材３と、該光部材と絶縁性本体との間に配置される弾力部材とを備える。前記弾力部材は、前記絶縁性本体に当接する当接部４１と、前記光部材に当接する一対の当接ビーム４４とを備える。前記弾力部材の一対の当接ビームは、光部材の中心線に対して対称に設置され、平衡した力で前記光部材に当接する。【選択図】図４
0003164917.tif 000002
【実用新案登録請求の範囲】
【請求項１】
絶縁性本体と、
前記絶縁性本体に固着される複数の導電端子と、
前記絶縁性本体において前後方向に移動可能な光部材と、
前記光部材と絶縁性本体との間に配置され、前記絶縁性本体に当接する当接部と、前記光部材に当接する一対の当接ビームとを備える弾力部材と、
を備え、前記弾力部材の一対の当接ビームが、光部材の中心線に対して中心線の両側において、前記光部材に当接することを特徴とするコネクタ。
【請求項２】
前記弾力部材の一対の当接ビームが前記光部材の中心線に対して対称に設置され、前記一対の当接ビームは、平衡した力で前記光部材に当接することを特徴とする請求項１に記載のコネクタ。
【請求項３】
前記絶縁性本体には、固定柱と、前記固定柱の両側に位置する一対の凸状部片とが設けられ、前記弾力部材は、金属ポールによって製造され、前記弾力部材の当接部が、前記固定柱に固着される中心部と、前記中心部と連接して前記凸状部片に当接する延在部とを有することを特徴とする請求項２に記載のコネクタ。
【請求項４】
前記弾力部材の当接ビームは、前記延在部から外へ傾斜に延在する第１ビーム部と、前記第１ビーム部から延在して前記光部材に当接する第２ビーム部とを有することを特徴とする請求項３に記載のコネクタ。
【請求項５】
前記弾力部材は金属片からパンチされ、前記弾力部材の当接部には、切欠けが形成され、前記絶縁性本体には、前記弾力部材の当接部に対応する凹溝が形成され、前記凹溝には前記光部材の切欠けに対応する位置決め部が設けられることを特徴とする請求項２に記載のコネクタ。
【請求項６】
前記当接ビームは、前記当接部と連接する折曲部と、前記折曲部から延在する第１ビーム部と、前記第１ビーム部から水平に延在して前記光部材に当接する第２ビーム部とを備えることを特徴とする請求項５に記載のコネクタ。
【請求項７】
前記光部材は、前後方向において移動可能な基部と、前記基部に取り付けられる複数のファイバーとを有し、前記弾力部材には、前記ファイバーが挿入される複数のスロットが形成されることを特徴とする請求項５に記載のコネクタ。
【考案の詳細な説明】
【技術分野】
【０００１】
本考案は、コネクタに関し、特に、光部材を含むＵＳＢ（Ｕｎｉｖｅｒｓａｌ  Ｓｅｒｉａｌ  Ｂｕｓ）規格に準拠したコネクタに関するものである。
【背景技術】
【０００２】
従来技術のＵＳＢコネクタは、絶縁性本体と、絶縁性本体に固着される導電端子と、光信号を転送するための光部材と、絶縁性本体と光部材との間には弾力部材と、絶縁性本体を遮蔽するハウジングとを備える。絶縁性本体は、本体部と、本体部から突出する舌板とを備える。前記絶縁性本体には、収納溝が形成される。前記光部材は、前記収納溝に移動する。相手コネクタと電気接続する時、前記ＵＳＢコネクタが前記収納溝に後向きに移動する。相手コネクタが電気接続しない時、前記ＵＳＢコネクタが前記収納溝に前向きに回復する。
【先行技術文献】
【特許文献】
【０００３】
【特許文献１】中国実用新案第２０１４３８２２５Ｙ号明細書
【考案の概要】
【考案が解決しようとする課題】
【０００４】
前記光部材が前記収納溝に移動する時、横方向に沿って移動することが発生し易い。これにより、光部材が相手コネクタと安定して接続することを確保できない。
【０００５】
そこで本考案は、上述される従来技術の問題に鑑み、光部材が相手コネクタと安定して接続可能なＵＳＢコネクタを提供することを目的とする。
【課題を解決するための手段】
【０００６】
前記目的を達成するために、本考案のコネクタは、絶縁性本体と、前記絶縁性本体に固着される複数の導電端子と、前記絶縁性本体に前後方向において移動可能な光部材と、前記光部材と絶縁性本体との間に配置される弾力部材とを備える。前記弾力部材は、前記絶縁性本体に当接する当接部と、前記光部材に当接する一対の当接ビームとを備える。前記弾力部材の一対の当接ビームは、光部材の中心線に対して対称に設置される。
【考案の効果】
【０００７】
従来技術と比べると、本考案は以下の長所を有する。本考案の弾力部材の当接ビームが光部材の中心線に対して対称に配置される。弾力部材が光部材に当接する圧力が平衡になる。これにより、光部材が移動する過程では、横方向の運動を防止できる。これにより、光部材が相手コネクタと安定して接続することを確保できる。
【図面の簡単な説明】
【０００８】
【図１】本考案の第１実施形態のコネクタの組立斜視図である。
【図２】図１に示す遮蔽部材とシェルとを含まないコネクタの部分の組立斜視図である。
【図３】別の角度から見た図２の部分の組立斜視図である。
【図４】図２に示す蓋板が絶縁性本体に取り付けられない時の斜視図である。
【図５】図１に示すコネクタの分解斜視図である。
【図６】別の角度から見た図５の分解斜視図である。
【図７】第２実施形態のコネクタの蓋板が絶縁性本体に取り付けられていない時の斜視図である。
【図８】図７の蓋板と弾力部材とが絶縁性本体に取り付けられていない時の斜視図である。
【考案を実施するための形態】
【０００９】
図１〜図６を参照すると、本発明の第１実施形態のコネクタ１００は、絶縁性本体１と、蓋板１３、複数の導電端子２と、前記絶縁性本体１に装着される光部材３と、前記絶縁性本体１と光部材３との間に装着される弾力部材４と、前記絶縁性本体１に固着されるベース５と、前記ベース５に装着される被覆部６と、前記絶縁性本体１を遮蔽する遮蔽部材７とシェル８とを備える。
【００１０】
絶縁性本体１は、上表面と下表面とを有する。絶縁性本体１は、主体部１１と、主体部１１から前向きに突出する舌板１２とを備える。主体部１１の上表面には、前記ベース５に対応する収納スペース１１３が形成される。舌板１２の上表面には、一列の第１端子溝１２７と、前記一列の第１端子溝１２７の後に配置される一列の第２端子溝１２８とが形成される。
【００１１】
主体部１１の下表面には、複数の位置決め溝１１２が形成される。舌板１２の下表面には、収納溝１２１が形成される。前記収納溝１２１の後には、前記収納溝１２１と貫通する凹部１２２が形成される。前記収納溝１２１には、下向きに延在する固定柱１２１１と、固定柱１２１１の両側に位置する一対の凸状部片１２１２とが設けられる。前記絶縁性本体１の下表面には、前後に沿って延在して前記収納溝１２１と貫通する複数の保持溝１１１が形成される。前記収納溝１２１の前側には、係止部１２４が設けられる。
【００１２】
ベース５には、複数の端子孔５１が形成される。
【００１３】
前記導電端子２は、ＵＳＢ３．０規格に準拠した五つの第１端子２１と四つの第２端子２２とを備える。各第１端子２１は、平板状の第１接触部２１１と、第１尾部２１３と、第１接触部２１１と第１尾部２１３との間に設けられる第１保持部２１２とを有する。各第２端子２２は、弾力的な第２接触部２２１と、第２尾部２２３と、第２接触部２２１と第２尾部２２３との間に設けられる第２保持部２２２とを有する。
【００１４】
光部材３は、基部３０と、基部３０に取り付けられる複数のファイバー３５とを備える。前記基部３０には、前記係止部１２４と対応する係止孔３２と、係止孔３２の両側に設けられる一対のレンズ３３と、一対の対応孔３４とを有する。
【００１５】
弾力部材４は、金属ポールによって製造される。弾力部材４は、図４に示す光部材３の中心線Ｃ１に対して対称に設置される。弾力部材４は、円形の当接部４１と、当接部４１の両端から延在する一対の当接ビーム４４とを備える。当接部４１は、中心部４２と、中心部４２と連接する延在部４３とを有する。各当接ビーム４４は、前記延在部４４から延在する第１ビーム部４５と、第１ビーム部４５から水平に延在する第２ビーム部４６とを有する。
【００１６】
遮蔽部材７は、第１壁部７１と、前記第１壁部７１と対向する第３壁部７３と、一対の第２壁部７２とを有する。
【００１７】
コネクタ１００を組み立てる時、先ず、四つの第１端子２１が絶縁性本体１にインサートモールドによって成型される。第１端子２１の第１尾部２１３が、絶縁性本体１の位置決め溝１１２に挿入される。第１端子２１の第１接触部２１１は、第１端子溝１２７に露出する。五つの第２端子２２は、ベース５の端子孔５１に挿入される。ベース５が絶縁性本体１の収納スペース１１３に装入される。第２端子２２の第２接触部２２１が、絶縁性本体１の第２端子溝１２８に露出される。被覆部６はベース５に固着される。他の実施形態において、第２端子２２が、ベース５にインサートモールドによって成型される。
【００１８】
前記光部材３のファイバー３５が基部３０に装着される。光部材３は、絶縁性本体１に装着される。光部材３の基部３０が収納溝１２１に収納される。光部材３の複数のファイバー３５が、保持溝１１１に保持される。基部３０の係止孔３２は、絶縁性本体１の係止部１２４と係合できる。弾力部材４の当接部４１は絶縁性本体１に当接し、中心部４２が固定柱１２１１に装着され、延在部４３が凸状部片１２１２に当接する。当接ビーム４４は基部３０に当接する。第２ビーム部４６が中心線について平衡した力で基部３０に当接する。蓋板１３は、凹部１２２に付着される。最後、遮蔽部材７とシェル８とは絶縁性本体１に取り付けられる。コネクタ１００は、一体に製造される。被覆部材９とケーブル１０とはコネクタ１００に取り付けられる。
【００１９】
図７〜図８に示すように、第２実施形態の弾力部材４’は、金属片によってパンチされる。弾力部材４’は、光部材３’の中心線Ｃ２に対して対称に設置される。弾力部材４’は、絶縁性本体１’の舌板１２’の収納溝１２１’に当接する板状の当接部４１’と、当接部４１’の両端から対称になるように延在する一対の当接ビーム４４’とを備える。当接部４１’には、切欠け４１１’が形成される。各当接ビーム４４’は、当接部４１’と連接する折曲部４７’と、折曲部４７’から延在する第１ビーム部４５’と、第１ビーム部４５’から水平に延在する第２ビーム部４６’とを備える。折曲部４７’にはスロット４８’が形成される。
【００２０】
絶縁性本体１の収納溝１２１’には、下向きに突出する凸状部片１２１２’が設けられる。前記凸状部片１２１２’と絶縁性本体１’の間には凹溝１２１３’が形成される。凹溝１２１３’には位置決め部１２１４’が設けられる。
【００２１】
弾力部材４’が絶縁性本体１’に取り付けられる時、弾力部材４’の当接部４１’が凹溝１２１３’に嵌められる。弾力部材４’の切欠け４１１’が位置決め部１２１４’と係合する。光部材３’のファイバー３５’が弾力部材４’のスロット４８’に挿入される。
【００２２】
弾力部材４、４’の当接ビーム４４、４４’が光部材３、３’の中心線Ｃ１，Ｃ２に対して対称に配置される。弾力部材４、４’が光部材３、３’に当接する圧力が平衡になる。これにより、光部材３、３’が移動する過程では、横方向の運動を防止できる。これにより、光部材３，３’が相手コネクタと安定に接続できる。
【００２３】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２４】
１００  コネクタ
１  絶縁性本体
１０  ケーブル
１１  主体部
１１１  保持溝
１１２  位置決め溝
１１３  収納スペース
１１４  固定溝
１２  舌板
１２１  収納溝
１２１１  固定柱
１２１２  凸状部片
１２２  凹部
１２４  係止部
１２７  第１端子溝
１２８  第２端子溝
１３  蓋板
２  導電端子
２１  第１端子
２１１  第１接触部
２１２  第１保持部
２１３  第１尾部
２２  第２端子
２２１  第２接触部
２２２  第２保持部
２２３  第２尾部
３  光部材
３０  基部
３２  係止孔
３３  レンズ
３４  対応孔
３５  ファイバー
４  弾力部材
４１  当接部
４２  中心部
４３  延在部
４４  当接ビーム
４５  第１ビーム部
４６  第２ビーム部
５  ベース
５１  端子孔
６  被覆部
７  遮蔽部材
７１  第１壁部
７２  第２壁部
７３  第３壁部
８  シェル
９  被覆部材
１’  絶縁性本体
１２’  舌板
１２１’  収納溝
１２１２’  凸状部片
１２１３’  凹溝
１２１４’  位置決め部
３’  光部材
３５’  ファイバー
４’  弾力部材
４１’  当接部
４１１’  切欠け
４４’  当接ビーム
４５’  第１ビーム部
４６’  第２ビーム部
４７’  折曲部
４８’  スロット
【図１】
0003164917.tif 000003
【図２】
0003164917.tif 000004
【図３】
0003164917.tif 000005
【図４】
0003164917.tif 000006
【図５】
0003164917.tif 000007
【図６】
0003164917.tif 000008
【図７】
0003164917.tif 000009
【図８】
0003164917.tif 000010